(57)【要約】【課題】医用画像データを出力する際に、読影情報を自動的に取得して医用画像データに埋め込むことを可能とする。【解決手段】医用画像情報管理システム１００では、読影装置３により、管理装置２が有するＤＢ２１から医用画像データの読影情報（及び撮影情報）が取得され、その取得された情報が２次元コードに符号化され、その２次元コードが当該医用画像データに埋め込まれる。２次元コードが埋め込まれた医用画像データは、フィルム等の記録媒体上に出力されたり、画像ファイル（ＪＰＥＧ、bitmap等）として出力される。【選択図】図１
2006304841.tif 000002
【特許請求の範囲】
【請求項１】
医用画像データの読影作業によって生成された読影情報を格納するデータベースと、
前記データベースから医用画像データの読影情報を取得し、その取得された読影情報を当該医用画像データに埋め込む埋込手段と、
前記埋込手段により読影情報が埋め込まれた医用画像データを、記録媒体上又は画像ファイルに出力する出力手段と、
を備えることを特徴とする医用画像情報管理システム。
【請求項２】
前記データベースは、患者の撮影により生成される医用画像データ及びその付属情報から構成される撮影情報を更に格納し、
前記埋込手段は、前記データベースから医用画像データの読影情報及び撮影情報を取得し、その取得された読影情報及び撮影情報を当該医用画像データに埋め込み、
前記出力手段は、前記埋込手段により読影情報及び撮影情報が埋め込まれた医用画像データを出力することを特徴とする請求項１に記載の医用画像情報管理システム。
【請求項３】
前記データベースから取得された情報を符号化する符号化手段を備え、
前記埋込手段は、前記符号化手段により符号化された情報を医用画像データに埋め込み、
前記出力手段は、前記符号化された情報が埋め込まれた医用画像データを出力することを特徴とする請求項１又は２に記載の医用画像情報管理システム。
【請求項４】
前記符号化された情報を読み込む読込手段と、
前記読込手段により得られた符号化された情報を復号する復号手段と、
を備えることを特徴とする請求項３に記載の医用画像情報管理システム。
【請求項５】
前記復号手段により復号された情報を表示する読取情報表示手段を備えることを特徴とする請求項４に記載の医用画像情報管理システム。
【請求項６】
前記復号手段により復号された情報に基いて、前記データベースから読影情報及び／又は撮影情報を検索する検索手段と、
前記検索手段により得られた情報を表示する取得情報表示手段と、
を備えることを特徴とする請求項４又は５に記載の医用画像情報管理システム。
【発明の詳細な説明】
【技術分野】
【０００１】
本発明は、患者を撮影した医用画像に関する情報を管理する医用画像情報管理システムに関する。
【背景技術】
【０００２】
近年、病院では、インテリジェント化が進み、ＰＡＣＳ（Picture Archiving and Communication System）等の情報管理システムにより、医用画像に関する情報が管理されている（例えば、特許文献１参照。）。
【０００３】
図８に、従来の医用画像情報管理システム２００の構成の一例を示す。医用画像情報管理システム２００は、図８に示すように、モダリティ１０、ＰＡＣＳ２０、レポートサーバ３０、読影装置４０、医用画像データをフィルム等に出力する出力装置５０により構成され、これらは、ＬＡＮ（Local Area Network）、ＷＡＮ（Wide Area Network）等の通信ネットワークＮにより接続されている。
【０００４】
ＰＡＣＳ２０は、モダリティ１０で得られた撮影情報を格納するＤＢ２０ａを備える。ここで、撮影情報には、モダリティ１０での撮影で取得された医用画像データと、各医用画像データの付属情報（患者情報、検査情報等）が含まれる。また、レポートサーバ３０は、読影装置４０での読影作業により生成、更新された読影情報を格納するＤＢ３０ａを備える。読影情報には、読影医の氏名、読影をしたか否か、どのような階調で読影したか、どの医用画像データを診断に使用したか、どのようなアノテーションを付加したか、どのようなレポートを記述したか、再検査が必要か否か、再検査の時期、どのような再検査が必要かなどの情報が含まれる。
【０００５】
図９のシーケンス図を参照して、モダリティ１０での撮影から読影情報の登録までの流れについて説明する。
【０００６】
まず、モダリティ１０で患者の撮影が行われる（ステップＴ１）。ステップＴ１の撮影により得られた撮影情報（医用画像データ、患者情報、検査情報等）はＰＡＣＳ２０に送信され（ステップＴ２）、ＰＡＣＳ２０では、受信された撮影情報がＤＢ２０ａに登録される（ステップＴ３）。
【０００７】
読影装置４０から、特定の撮影情報に関する問合せ情報がＰＡＣＳ２０に送信されると（ステップＴ４）、ＰＡＣＳ２０では、その問合せ情報に対応する撮影情報がＤＢ２０ａから検出され、検出により得られた撮影情報が読影装置４０に送信される（ステップＴ５）。
【０００８】
読影装置４０では、受信された撮影情報に基づいて読影作業が行われ、キー画像（読影診断に使用した画像）の決定、読影レポートの作成等により、読影情報が作成される（ステップＴ６）。次いで、読影作業により生成された読影情報がレポートサーバ３０に送信され（ステップＴ７）、レポートサーバ３０では、受信された読影情報がＤＢ３０ａに登録される（ステップＴ８）。
【０００９】
次に、図１０のシーケンス図を参照して、医用画像データを出力するときの流れについて説明する。
【００１０】
まず、読影装置４０からＰＡＣＳ２０に対し、撮影情報の取得要求を示す信号が送信される（ステップＴ１０）。撮影情報の取得要求を受けたＰＡＣＳ２０では、ＤＢ２０ａから該当する撮影情報を検索し、検索により得られた撮影情報が読影装置４０に送信される（ステップＴ１１）。
【００１１】
撮影情報を受信した読影装置４０では、その撮影情報に含まれる付属情報（検査情報、患者情報等）が、オーバーレイやアノテーションにより、該当する医用画像データに埋め込まれる（ステップＴ１２）。この付属情報が埋め込まれた医用画像データは、画像ファイル（ＪＰＥＧ、bitmap等）として出力される（ステップＴ１５）。
【００１２】
また、付属情報が埋め込まれた医用画像データは出力装置５０に送信される（ステップＴ１３）。出力装置５０では、受信された医用画像データに基いてフィルムへの出力処理が行われる（ステップＴ１４）。図１１に、フィルムの出力例を示す。図１１に示すように、医用画像の他に、オーバーレイやアノテーションによって検査情報等が出力されていることがわかる。このように、検査情報、患者情報等が埋め込まれた医用画像データは画像ファイルとして出力されたり、フィルム上に出力される。
【特許文献１】特開２０００−２６８１１７号公報
【発明の開示】
【発明が解決しようとする課題】
【００１３】
しかしながら、従来の医用画像情報管理システムでは、撮影時に決定された撮影情報を管理するＰＡＣＳと、撮影後に更新される読影情報を管理するレポートサーバが別のシステムであったため、ＰＡＣＳからは撮影情報のみが取得され、一般的な画像ファイル（ＪＰＥＧ、bitmap等）やフィルムには読影情報が出力されず、システム利用者は、出力された画像ファイルやフィルムから最新の読影情報を得ることができないという問題があった。画像ファイルやフィルムから読影情報を取得するためには、画像ＩＤや検査ＩＤ等の検索キーを用いてシステムに再ログインし、ＰＡＣＳからの撮影情報の取得とは別に、レポートサーバを検索して読影情報を取得し、医用画像データに埋め込む必要があり、このような作業はシステム利用者にとって面倒であるという問題があった。
【００１４】
本発明の課題は、医用画像データを出力する際に、読影情報を自動的に取得して医用画像データに埋め込むことを可能とすることである。
【課題を解決するための手段】
【００１５】
上記課題を解決するため、請求項１に記載の発明は、医用画像データの読影作業によって生成された読影情報を格納するデータベースと、前記データベースから医用画像データの読影情報を取得し、その取得された読影情報を当該医用画像データに埋め込む埋込手段と、前記埋込手段により読影情報が埋め込まれた医用画像データを、記録媒体上又は画像ファイルに出力する出力手段と、を備えることを特徴としている。
【００１６】
請求項２に記載の発明は、請求項１に記載の医用画像情報管理システムにおいて、前記データベースは、患者の撮影により生成される医用画像データ及びその付属情報から構成される撮影情報を更に格納し、前記埋込手段は、前記データベースから医用画像データの読影情報及び撮影情報を取得し、その取得された読影情報及び撮影情報を当該医用画像データに埋め込み、前記出力手段は、前記埋込手段により読影情報及び撮影情報が埋め込まれた医用画像データを出力することを特徴としている。
【００１７】
請求項３に記載の発明は、請求項１又は２に記載の医用画像情報管理システムにおいて、前記データベースから取得された情報を符号化する符号化手段を備え、前記埋込手段は、前記符号化手段により符号化された情報を医用画像データに埋め込み、前記出力手段は、前記符号化された情報が埋め込まれた医用画像データを出力することを特徴としている。
【００１８】
請求項４に記載の発明は、請求項３に記載の医用画像情報管理システムにおいて、前記符号化された情報を読み込む読込手段と、前記読込手段により得られた符号化された情報を復号する復号手段と、を備えることを特徴としている。
【００１９】
請求項５に記載の発明は、請求項４に記載の医用画像情報管理システムにおいて、前記復号手段により復号された情報を表示する読取情報表示手段を備えることを特徴としている。
【００２０】
請求項６に記載の発明は、請求項４又は５に記載の医用画像情報管理システムにおいて、前記復号手段により復号された情報に基いて、前記データベースから読影情報及び／又は撮影情報を検索する検索手段と、前記検索手段により得られた情報を表示する取得情報表示手段と、を備えることを特徴としている。
【発明の効果】
【００２１】
本発明によれば、医用画像データを出力する際に、読影情報を自動的に取得して医用画像データに埋め込むことにより、システム使用者は、出力された記録媒体又はファイルから読影情報を読み取ることによって、当該医用画像データの運用上の位置付けを把握することができる。
【発明を実施するための最良の形態】
【００２２】
以下、図面を参照して、本発明の実施形態について詳細に説明する。
まず、本実施形態における構成について説明する。
【００２３】
図１に、本発明を適用した実施形態に係る医用画像情報管理システム１００の構成を示す。医用画像情報管理システム１００は、図１に示すように、モダリティ１、管理装置２、読影装置３、出力装置４により構成され、これらは互いに通信ネットワークＮを介して接続されている。通信ネットワークＮは、病院等の建物内又は病院間に構築されたＬＡＮ（Local Area Network）、ＷＡＮ（Wide Area Network）等の情報通信網である。
【００２４】
モダリティ１は、患者を撮影して医用画像のデータ（以下、医用画像データと呼ぶ。）を生成する撮影装置であり、血管撮影装置、ＣＴ（Computed Tomography）装置、ＭＲＩ（Magnetic Resonance Imaging）装置、核医学診断装置、超音波診断装置、電子内視鏡装置、ＣＲ（Computed Radiography）装置等により構成される。
【００２５】
管理装置２は、モダリティ１による患者の撮影により生成される撮影情報と、読影装置３での読影作業により生成される読影情報を格納するＤＢ（データベース）２１を有し、読影装置３からの要求に応じて、ＤＢ２１から該当する撮影情報及び読影情報を検索し、読影装置３に転送する。この管理装置２は、図８に示したＰＡＣＳ２０とレポートサーバ３０の双方の機能を備えている。
【００２６】
ここで、撮影情報には、モダリティ１での撮影で取得された医用画像データと、各医用画像データの付属情報（患者情報、検査情報等）が含まれる。検査情報には、検査を識別するための情報として参照キー（検査ＩＤ）が含まれ、この参照キーに基づいてＤＢ２１が検索される。
【００２７】
また、読影情報には、読影医の氏名、読影をしたか否か、どのような階調で読影したか、どの医用画像データを診断に使用したか、どのようなアノテーションを付加したか、どのようなレポートを記述したか、再検査が必要か否か、再検査の時期、どのような再検査が必要かなどの情報が含まれる。
【００２８】
読影装置３は、ＣＰＵ（Central Processing Unit）、ＲＯＭ（Read Only Memory）、ＲＡＭ（Random Access Memory）と、ＬＣＤ（Liquid Crystal Display）等の表示部を備え、読影医による読影作業に基づいて読影情報を生成し、生成された読影情報を管理装置２の送信する。また、読影装置３は、管理装置２から取得した読影情報（及び撮影情報）を２次元コードに変換し、その２次元コードを確定画像（診断に使用した医用画像データ）に埋め込み、画像ファイルとして出力したり、出力装置４に対して、フィルムへの出力を依頼する。
【００２９】
出力装置４は、読影装置３から入力された医用画像データをフィルムや紙等の記録媒体に出力する。出力装置４としては、例えばレーザーイメージャが該当する。
【００３０】
次に、本実施形態における動作について説明する。
まず、図２のシーケンス図を参照して、モダリティ１での患者の撮影から読影情報の登録までの流れについて説明する。
【００３１】
モダリティ１において患者が撮影されると（ステップＳ１）、撮影により生成された撮影情報が管理装置２に送信される（ステップＳ２）。管理装置２では、モダリティから受信された撮影情報がＤＢ２１に登録される（ステップＳ３）。
【００３２】
読影装置３から、検査情報を特定する参照キーが管理装置２に送信されると（ステップＳ４）、管理装置２では、受信された参照キーに対応する撮影情報がＤＢ２１から検出され、検出により得られた撮影情報が読影装置３に送信される（ステップＳ５）。
【００３３】
読影装置３では、受信された撮影情報に基づいて読影作業が行われ、キー画像（読影診断に使用した画像）の決定、読影レポートの作成等により、読影情報が作成される（ステップＳ６）。次いで、読影作業により生成された読影情報が管理装置２に送信され（ステップＳ７）、管理装置２では、受信された読影情報がＤＢ２１に登録される（ステップＳ８）。
【００３４】
次に、図３のシーケンス図を参照して、医用画像データを出力するまでの流れについて説明する。
【００３５】
読影装置３から、検査情報を特定する参照キーが管理装置２に送信されると（ステップＳ１０）、管理装置２では、受信した参照キーに対応する撮影情報及び読影情報がＤＢ２１から検索され（ステップＳ１１）、検索により得られた撮影情報及び読影情報が読影装置３に送信される（ステップＳ１２）。
【００３６】
読影装置３では、管理装置２から受信された読影情報（及び撮影情報）が２次元コードに符号化される（ステップＳ１３）。本実施形態で適用される２次元コードとしては、ＱＲコード（登録商標）、ＭＳマーク（登録商標）等がある。次いで、２次元コードが確定画像（診断に使用した医用画像データ）に埋め込まれる（ステップＳ１４）。
【００３７】
２次元コードが埋め込まれた確定画像は、画像ファイル（ＪＰＥＧ、bitmap等）として出力される（ステップＳ１７）。また、この２次元コードが埋め込まれた確定画像は出力装置４に送信される（ステップＳ１５）。出力装置４では、受信された確定画像に基いてフィルムへの出力処理が行われる（ステップＳ１６）。
【００３８】
図４（ａ）に、２次元コードが埋め込まれた確定画像をフィルムに出力した例を示す。図４（ａ）の右下の埋め込み部分を拡大した図を、図４（ｂ）に示す。図４に示すように、確定画像には、２次元コードとともに、符号化されていない読影情報、検査情報等が埋め込まれており、これらの情報が目視で確認できるようになっている。
【００３９】
図３では、読影装置３が、２次元コードの埋め込み処理を実行する場合を示したが、管理装置２側で実行するようにしてもよい。以下、図５のシーケンス図を参照して、管理装置２側で２次元コードの埋め込み処理を行う場合の流れについて説明する。
【００４０】
読影装置３から、検査情報を特定する参照キーが管理装置２に送信されると（ステップＳ２０）、管理装置２では、受信した参照キーに対応する撮影情報及び読影情報がＤＢ２１から検索される（ステップＳ２１）。次いで、ステップＳ２１の検索で得られた読影情報（及び撮影情報）が２次元コードに符号化され（ステップＳ２２）、その２次元コードが確定画像（診断に使用した医用画像データ）に埋め込まれる（ステップＳ２３）。
【００４１】
２次元コードが埋め込まれた確定画像は、画像ファイル（ＪＰＥＧ、bitmap等）として出力される（ステップＳ２６）。また、この２次元コードが埋め込まれた確定画像は出力装置４に送信される（ステップＳ２４）。出力装置４では、受信された確定画像に基いてフィルムへの出力処理が行われる（ステップＳ２５）。
【００４２】
画像ファイル又はフィルム上の２次元コードは、カメラ付き携帯電話等の読取装置によって読み取られる。図１の医用画像情報管理システム１００に、カメラ付き携帯電話等の読取装置５を追加した構成を図６に示す。この読取装置５は、２次元コードを読み込み、読み込まれた２次元コードを復号し、復号された情報をＬＣＤ等の表示部に表示する。また、読取装置５は、読み取られた情報（復号された情報）を無線通信又は有線通信により読影装置３に送信する。
【００４３】
次に、図７のシーケンス図を参照して、２次元コードを読み取る際に医用画像情報管理システム１００において実行される処理について説明する。以下では、読取装置５がカメラ付き携帯電話である場合について説明するが、２次元コードの読取機能を有する他の読取装置においても以下の処理は適用可能である。
【００４４】
まず、読取装置５では、カメラによりフィルム上の２次元コードを撮影することによって、その２次元コードが読み込まれる（ステップＳ３０）。次いで、ステップＳ３０で読み込まれた２次元コードが復号され（ステップＳ３１）、復号された情報から得られる参照キー及び医用画像データの付属情報が表示部に表示される（ステップＳ３２）。
【００４５】
読取装置５のユーザにより、表示部に表示された情報が確認されると、操作部の操作により、表示部に表示された参照キーが読影装置３に送信される（ステップＳ３３）。参照キーが読影装置３に受信されると、読影装置３から管理装置２に当該参照キーが送信される（ステップＳ３４）。
【００４６】
管理装置２では、読影装置３から受信した参照キーに対応する撮影情報及び／又は読影情報がＤＢ２１から検索され（ステップＳ３５）、検索により得られた撮影情報及び／又は読影情報が読影装置３に送信される（ステップＳ３６）。読影装置３では、管理装置２から受信した撮影情報及び／又は読影情報が表示部に表示される（ステップＳ３７）。
【００４７】
以上のように、本実施形態の医用画像情報管理システム１００によれば、医用画像データを出力する際に、読影情報を自動的に取得して医用画像データに埋め込むことにより、システム使用者は、出力された記録媒体又はファイルから読影情報を読み取ることによって、当該医用画像データの運用上の位置付けを把握することができる。
【００４８】
特に、読影情報（及び撮影情報）を２次元コードに符号化して医用画像データに埋め込むことにより、読影情報（及び撮影情報）の保守性を高めることができる。
【図面の簡単な説明】
【００４９】
【図１】本発明の実施形態に係る医用画像情報管理システムの構成を示す図。
【図２】図１の医用画像情報管理システムにおいて実行される処理（撮影から読影情報の登録までの流れ）を示すシーケンス図。
【図３】図１の医用画像情報管理システムにおいて実行される処理の一例（読影装置側で読影情報を確定画像に埋め込む場合）を示すシーケンス図。
【図４】２次元コードが埋めこまれた確定画像の一例を示す図。
【図５】図１の医用画像情報管理システムにおいて実行される処理の一例（管理装置側で読影情報を確定画像に埋め込む場合）を示すシーケンス図。
【図６】２次元コードを読み取る読取装置を含む医用画像情報管理システムの構成を示す図。
【図７】２次元コードを読み取る際に図６の医用画像情報管理システムで実行される処理を示すシーケンス図。
【図８】従来の医用画像情報管理システムの構成を示す図。
【図９】従来の医用画像情報管理システムにおいて実行される処理（撮影から読影情報の登録までの流れ）を示すシーケンス図。
【図１０】従来の医用画像情報管理システムにおいて実行される処理（確定画像を出力する際の処理）を示すシーケンス図。
【図１１】検査情報等が埋め込まれた医用画像データのフィルム出力例を示す図。
【符号の説明】
【００５０】
１  モダリティ
２  管理装置
２１  ＤＢ（データベース）
３  読影装置
４  出力装置
５  読取装置
１００  医用画像情報管理システム
【図１】
2006304841.tif 000003
【図２】
2006304841.tif 000004
【図３】
2006304841.tif 000005
【図４】
2006304841.tif 000006
【図５】
2006304841.tif 000007
【図６】
2006304841.tif 000008
【図７】
2006304841.tif 000009
【図８】
2006304841.tif 000010
【図９】
2006304841.tif 000011
【図１０】
2006304841.tif 000012
【図１１】
2006304841.tif 000013